(57)【要約】      （修正有）【課題】顧客の肌を傷めずに簡易に瞼に接着でき、睫毛のパーマネントができる睫毛パーマ用ロッド部材を提供する。【解決手段】本体基部２と睫毛固定部３からなるまつ毛パーマ用ロッド部材１の材質を、硬度３０°以下、好ましくは２０°以下のシリコンゴムである軟質樹脂製素材とする。その板状基部２は、一端部にロッド部と他端部に複数の切り込み５とを有し、シリコンゴム素材のロッド部表面には、ロッド延在方向に沿って睫毛接着用シールを貼着した。【選択図】図１
2005224288.tif 000002
【特許請求の範囲】
【請求項１】
板状の基部と、該基部の一端に形成されるロッド部とから構成される軟質樹脂製の睫毛パーマ用ロッド部材において、
前記軟質樹脂製素材は、硬度が３０°、好ましくは硬度２０°以下のシリコンゴムであり、
前記板状基部は、長方形状であって平らに成形されている、
ことを特徴とする睫毛パーマ用ロッド部材。
【請求項２】
前記シリコンゴム素材の板状基部は、一端部にロッド部と他端部に複数の切り込みとを有することを特徴とする請求項１記載の睫毛パーマ用ロッド部材。
【請求項３】
前記シリコンゴム素材のロッド部表面には、ロッド延在方向に沿って睫毛接着用シールを貼着することを特徴とする請求項１〜請求項２記載の睫毛パーマ用ロッド部材。
【発明の詳細な説明】
【技術分野】
【０００１】
本発明は、睫毛にパーマネントを施すときに用いる睫毛毛パーマ用ロッド部材に関し、更に詳しくは、部材裏面に接着剤を用いること無く直接肌に接着できる特殊な素材を用いることに特徴を有する睫毛パーマ用ロッド部材に関するものである。
【背景技術】
【０００２】
従来、女性がメイク時に睫毛を上向きにする際には、一般的にビューラーを使用して睫毛に癖を付けていたが、時間が経過するごとに元の状態に戻ってしまう傾向があった。
【０００３】
このため、実開昭５９−８７７０１号「まつ毛パーマ用ロット」に開示されるように、細経の棒材の外周に粘着層を設けたまつ毛パーマ用ロットが用いられるようになったが、瞳に対する接着面積が小さいことから睫毛パーマネント作業時の安定性に欠けるという欠点があった。
【０００４】
この欠点を改良するものとして、特開平６−１０５７０９号「まつ毛パーマ用平面ロッド及びまつ毛のパーマ技法」には、「両面粘着可能な延長された粘着層の片面に、該粘着層に比し幅の狭い厚さ０．３乃至０，６ｍｍを呈するシリコンゴム製の主体を被着するとともに、該主体の片側に突出した粘着層を突出部とし、該粘着層の突出部及び前記主体が被着されない側の全面とにそれぞれ剥離容易な保護層を被着したまつ毛パーマ用平面ロッド」が開示される。
【０００５】
同様に、特開２００２−５８５２３号「まつ毛パーマ用ロッド部材」には、「板状の基部と、該基部の一端に形成されるロッド部と、を備えた軟質樹脂製のまつ毛パーマ用部材であって、前記基部の一端に形成される前記ロッド部は、前記基部の表面積に断面略半円状に突出するとともに前記基部の前記一端に沿って延在し、前記基部の前記表面は、前記ロッド部を跨いでまつ毛の先端側が適宜接着部材により固定されるまつ毛固定面とし、前記基部の裏面は、適宜接着部材により瞼に接着される瞼接着面としたことを特徴とする」ものである。
【０００６】
上記「まつ毛パーマ用ロッド部材」によって、まつ毛全体にパーマネントを施すことができるようになり、また、パーマネントを施す際の作業を熟練を要することなく容易に行える等の効果を有しており、従来のビューラーを使用する手段よりは優れている。
【特許文献１】実開昭５９−８７７０１号
【特許文献２】特開平６−１０５７０９号
【特許文献３】特開２００２−５８５２３号
【発明の開示】
【発明が解決しようとする課題】
【０００７】
しかしながら上記に記載の実開昭５９−８７７０１号「まつ毛パーマ用ロット」
、特開平６−１０５７０９号「まつ毛パーマ用平面ロッド及びまつ毛のパーマ技法」及び特開２００２−５８５２３号「まつ毛パーマ用ロッド部材」を用いる場合、いずれも瞼に接着する際に接着剤を用いなければならないために、顧客によっては処置後に肌荒れを起こすケースも見受けられるようになった。
【０００８】
また前記特開２００２−５８５２３号「まつ毛パーマ用ロッド部材」の場合、ロッド全体が湾曲形成されているために、顧客によっては瞼接着の際に隙間を生じ、パーマネントが十分にできないということもあった。
【０００９】
従って、顧客の肌を傷めずに簡易に瞼に接着でき、且つロッドと瞼の間に隙間が生じないで睫毛のパーマネントができる新規なロッド部材の開発が望まれていた。
【課題を解決するための手段】
【００１０】
本発明者はかかる課題を解決するために鋭意研究したところ、シリコンゴムのうち特定の硬度を有する素材が、直接人の肌に、接着剤無しでも接合し、また容易に剥がすことが可能なことを見いだし本発明の睫毛パーマ用ロッド部材を提供することができた。
【００１１】
すなわち本発明の第一は、板状の基部と、該基部の一端に形成されるロッド部とから構成される軟質樹脂製の睫毛パーマ用ロッド部材において、前記軟質樹脂製素材は、硬度が３０°、好ましくは硬度２０°以下のシリコンゴムであり、前記板状基部は、長方形状であって平らに成形されている、ことを特徴とする睫毛パーマ用ロッド部材である。
【００１２】
本発明の第二は、前記シリコンゴム素材の板状基部は、一端部にロッド部と他端部に複数の切り込みとを有することを特徴とする請求項１記載の睫毛パーマ用ロッド部材である。
【００１３】
本発明の第三は、前記シリコンゴム素材のロッド部表面には、ロッド延在方向に沿って睫毛接着用シールを貼着することを特徴とする請求項１〜請求項２記載の睫毛パーマ用ロッド部材である。
【発明の効果】
【００１４】
本発明のロッド本体１の素材を硬度３０°以下、好ましくは２０°以下にすることによって、直接に被着者の肌に接着できるとともに従来のように粘着材を用いないために被着者の肌を傷めないという美容上の効果は大である。
【００１５】
また睫毛自体を凸状の睫毛固定面３に直接固定もできるほか、睫毛固定面３上に取り替え可能な固着用シール６を貼ることによって繰り返し使用できるために、従来品に比較すると使用コストが安くなる効果を有している。
【００１６】
また使用時おいて、小孔４からの切り込み線５が左右に開放するために、多くの使用者に対応できる等の効果を併せて有しているものである。
【発明を実施するための最良の形態】
【００１７】
図面を参照に、本発明の睫毛パーマ用ロッド部材１について詳細に説明する。図１は、本発明の全体を示す平面図である。このロッド部材１は、本体基部２の素材として厚さが０．１〜０．５ｍｍ、縦１３ｍｍ、横４２ｍｍの略長方形状ののシリコンゴム素材を用いるが、この場合の、シリコンゴムの硬度が３０°、好ましくは２０°以下の硬度でなければならない（ウォーレス硬度計の測定値による）。
【００１８】
本発明者の実験では、表１に示すようにシリコンゴム素材の硬度が４０°、８０°と大きくなるに従い、同じ厚さのシリコンゴムでも、人の肌に接着がしなくなるために、特開平６−１０５７０９号に記載のように両面粘着テープ等を用いて被着する必要があるため、本発明の対象とはならない。
【表１】
2005224288.tif 000003
【００１９】
本体基部２の睫毛側には、睫毛にパーマをかけやすくするために凸状の睫毛固定面３が設けられているが、この場合、本体基部２と一体成形して厚みをコントロールするが、中央部を高く、周囲に従って高さが下がるようにしてある。
【００２０】
この睫毛固定面には、睫毛が直接固定するためにそのままでも使用できるが、固定作業に長時間かける場合には、さらに睫毛を被着させる長方形状の固着用シール５を前記睫毛固定面３に沿って貼って、シール面に睫毛を固着させてもよい。
【００２１】
図２は、本発明のロッド部材１を睫毛側から眉毛方向に見た正面図である。本体基部２は平面体であり、該基部２上に凸状の睫毛固定面３が設けられている構造を示している。この平面体のロッド部材を眉毛に貼った場合に、被着者の瞳の曲線に沿って貼られるようになる。
【００２２】
本発明のロッド本体１の本体基部２の他端部（眉毛側）には、複数の小孔４とそれから伸びる切り込み線５を設けている。図３は、本発明のロッド部材１を使用した状態を説明する顔の表面から見た説明図であるが、使用の１形態として凸状の睫毛固定面３に睫毛が固着しやすい固着用シール５を貼っている。
【００２３】
この場合、ロッド本体１の本体基部２は被着者の瞳の曲線に沿って貼られるために、他端部に設けられた複数の小孔４とそれから伸びる切り込み線５側が引っ張られて、切り込み線５が左右に開放される形状となる。これによって、顔の形状が異なる多くの被着者に対応可能となっている。
【００２４】
本発明のロッド本体は、被着者の瞳の大きさによって使用するサイズが異なることから、緑色、赤色、黄色等のように分けておくと使用時の判別が容易となる。  
【図面の簡単な説明】
【００２５】
【図１】本発明の睫毛パーマ用ロッド部材全体を示す平面図である。
【図２】図１に示す睫毛パーマ用ロッド部材の正面図である。
【図３】本発明ロッド部材の使用状態を説明するための説明図である。
【図４】従来のまつ毛パーマ用ロッドの一例を示す平面図である。
【符号の説明】
【００２６】
１・・・睫毛パーマ用ロッド部材
２・・・本体基部
３・・・睫毛固定面
４・・・小孔
５・・・切り込み線
６・・・固着用シール
７・・・睫毛
８・・・目
【図１】
2005224288.tif 000004
【図２】
2005224288.tif 000005
【図３】
2005224288.tif 000006
【図４】
2005224288.tif 000007